(57)【要約】【課題】各電線の引き込み及び取り回しの自由度を向上させることができる電線配索部材及び電線配索構造を提供する。【解決手段】電線配索部材２０は、複数本の電線６０を一括して覆う外装部材の端部に設置され、各電線６０が挿通される筒状の本体部２１を備える。本体部２１の内側には、各電線６０の配索空間２８を仕切る仕切り壁２９が設けられている。電線配索構造１０は、電線配索部材２０と、外装部材の端部に連結され、機器７０に取り付けられるパイプ４０とを備える。本体部２１は、パイプ４０に内嵌され、外周にパイプ４０への固定部（突部２２）を有する。【選択図】図４
2018157653.tif 000002
【特許請求の範囲】
【請求項１】
複数本の電線を一括して覆う外装部材の端部に設置され、各電線が挿通される筒状の本体部を備え、
前記本体部の内側に、前記各電線の配索空間を仕切る仕切り壁が設けられていることを特徴とする電線配索部材。
【請求項２】
前記本体部が、割溝を備え、前記割溝を開いて前記各電線を対応する前記配索空間に挿入可能とされている請求項１記載の電線配索部材。
【請求項３】
前記本体部には、前記各電線の引き出し方向に沿って突出する舌片が設けられている請求項１又は２記載の電線配索部材。
【請求項４】
請求項１ないし３のいずれか１項記載の電線配索部材と、
前記外装部材の端部に連結され、機器に保持されるパイプとを備え、
前記本体部は、前記パイプに内嵌され、外周に前記パイプへの固定部を有することを特徴とする電線配索構造。
【請求項５】
前記パイプ及び前記機器が導電性の材質からなり、前記パイプは、シールド部材に接続されるアースパイプからなる請求項４記載の電線配索構造。
【発明の詳細な説明】
【技術分野】
【０００１】
本発明は、電線配索部材及び電線配索構造に関する。
【背景技術】
【０００２】
特許文献１には、管状部材と、管状部材に挿通されて、管状部材の端部開口から外部に引き出される引出部分を有する複数本の電線と、各電線の引出部分の先端部に接続される端子金具と、管状部材の端部と端子金具との間に位置して各電線を整列させる整列具とを備えた電線の整列構造が開示されている。各電線の引出部分が整列具によって整列させられることにより、端子金具が対応する相手端子と接続可能な位置に自動的に臨むことができ、端子金具と相手端子との接続作業を迷いなく行うことができるようになっている。
【先行技術文献】
【特許文献】
【０００３】
【特許文献１】特許第６０６３８４０号公報
【発明の概要】
【発明が解決しようとする課題】
【０００４】
ところで、例えば、車両ボディの孔を通して車両の内部に各電線を引き込もうとする場合に、上記構成によれば、整列具が車両ボディに引っ掛かって孔を通過することができないことがあるという事情があった。また、各電線の引出部分の先方に整列具が配置されていると、引出部分の取り回しの自由度が制限されるという問題もあった。
【０００５】
本発明は上記のような事情に基づいて完成されたものであって、各電線の引き込み及び取り回しの自由度を向上させることができる電線配索部材及び電線配索構造を提供することを目的とする。
【課題を解決するための手段】
【０００６】
本発明の電線配索部材は、複数本の電線を一括して覆う外装部材の端部に設置され、各電線が挿通される筒状の本体部を備え、前記本体部の内側に、前記各電線の配索空間を仕切る仕切り壁が設けられているところに特徴を有する。
【発明の効果】
【０００７】
複数本の電線が本体部の対応する配索空間に挿通されることにより、各電線の配列が規定されるため、各電線が所定の接続相手に臨むことができ、接続作業を円滑に行うことができる。
【０００８】
本体部が各電線を一括して覆う外装部材の端部に設置されるため、外装部材の端部から外部に引き出される各電線の引出部分の先方に本体部が設置される場合に比べ、各電線の引出部分の自由長（固定されていない部分の電線長）を長く確保することができ、各電線の引き込み及び取り回しの自由度を向上させることができる。
【図面の簡単な説明】
【０００９】
【図１】本発明の実施例１の電線配索部材の斜視図である。
【図２】電線配索部材の正面図である。
【図３】図２のＸ−Ｘ線断面図である。
【図４】電線配索構造の斜視図である。
【図５】機器に取り付けられた電線配索構造の平面図である。
【図６】図５のＹ−Ｙ線断面図である。
【図７】電線の端部に接続された端子金具が接続相手に臨むように配置された状態を示す平面図である。
【図８】本発明の実施例２の電線配索部材の斜視図である。
【図９】実施例２の電線配索部材の側面図である。
【図１０】実施例２の電線配索構造の斜視図である。
【発明を実施するための形態】
【００１０】
本発明の好ましい実施形態を以下に示す。
前記本体部が、割溝を備え、前記割溝を開いて前記各電線を対応する前記配索空間に挿入可能とされているとよい。これによれば、本体部への各電線の配索を製造工程（組み付け工程）の最終段階で行うことができ、作業性を向上させることができる。
【００１１】
前記本体部には、前記各電線の引き出し方向に沿って突出する舌片が設けられているとよい。各電線が舌片に固定されることにより、各電線の引出部分の自由長が所定長さに調整されるため、各電線が接続相手に正確に臨むことができ、誤接続などが生じる事態を回避することができる。
【００１２】
また、本発明の電線配索構造が、上記構成の電線配索部材と、前記外装部材の端部に連結され、機器に保持されるパイプとを備え、前記本体部は、前記パイプに内嵌され、外周に前記パイプへの固定部を有するところに特徴を有する。これによれば、本体部がパイプと重ねて設けられることになるため、本体部自体が場所を占有することがなく、スペース的に有利であるとともに、構成を簡単にすることができる。また、固定部によって本体部がパイプに対して位置ずれするのを防止することができる。
【００１３】
前記パイプ及び前記機器が導電性の材質からなり、前記パイプは、シールド部材に接続されるアースパイプからなるとよい。これによれば、パイプが機器への取り付け機能とアースをとる機能とを兼備することができるため、構成をより簡単にすることができる。
【００１４】
＜実施例１＞
以下、本発明の実施例１を図１〜図７に基づいて説明する。本実施例１は、ハイブリッド車などに配索される複数本の電線６０（ここでは３本の高圧電線）の電線配索構造１０に関し、車両前部の室内に搭載されるモータなどの装置（図示せず）と、車両後部の室内に搭載されるバッテリなどの装置（図示せず）との間に配索されるワイヤハーネスを例示する。各電線６０の中間部は、車両床下に配索され、所定の剛性を有する導電金属製のシールド管（図示せず）に挿通される。
【００１５】
各電線６０の後部は、車両後部の室内に引き込まれ、図５及び図６に示すように、金属繊維を編み込んた筒状の編組部材５０（シールド部材、外装部材）に挿通される。編組部材５０の一端側は、シールド管に接続され、編組部材５０の他端側は、パイプ４０（アースパイプ）に接続される。
【００１６】
パイプ４０は、導電金属製であって円管状をなし、一端寄りの位置に、上下一対の円形の貫通孔４１を有している。また、パイプ４０は、両端側に、全周にわたって張り出すフランジ部４２、４３を有している。図６に示すように、一端側のフランジ部４２は、他端側のフランジ部４３よりも張り出し量が小さく、曲面状の外周面を有し、その外周面に沿って編組部材５０が被せ付けられる。編組部材５０は、詳細は図示しないが、パイプ４０にバンド等で締め付けられる。また、パイプ４０は、導電金属製の機器７０（アース部材）に挟持固定される。
【００１７】
編組部材５０は、パイプ４０を介して機器７０にアース接続される。また、図５に示すように、編組部材５０は、可撓性のコルゲートチューブ８０（外装部材）により包囲される。コルゲートチューブ８０は、軸方向に凹凸を繰り返す蛇腹管状をなし、シールド管とパイプ４０との間に設置され、シールド管とパイプ４０とにテープ巻き（図示せず）などして連結される。編組部材５０及びコルゲートチューブ８０は、車両後部の室内に引き込まれる各電線６０の配索経路に応じて柔軟に屈曲可能とされている。
【００１８】
電線６０は、銅又はアルミニウムを主成分とする芯線部６３と、芯線部６３を包囲する絶縁樹脂製の被覆６１とからなる。図７に示すように、電線６０の端部は、被覆６１が除去されて芯線部６３が露出しており、この露出する芯線部６３に、丸型端子（いわゆるＬＡ端子）などの端子金具１００が圧着により接続される。端子金具１００は、ボルトを介して装置側の接続相手１１０に電気的に接続されるとともに固定される。
【００１９】
各電線６０のうち、パイプ４０から端子金具１００までの部分は、引出部分６２とされる。引出部分６２は、十分な長さを有し、取り回しの自由度が高く確保されている。なお、各電線６０は、編組部材５０及びシールド管によって一括してシールドされるようになっている。
【００２０】
さて、パイプ４０の内側には、電線配索部材２０が配置される。電線配索部材２０は合成樹脂製であって、図１〜図３に示すように、全体として円筒状をなす本体部２１によって構成される。図６に示すように、本体部２１の全長は、パイプ４０の全長よりも長くされている。なお、以下の説明において、本体部２１の一端側は、編組部材５０が位置する側であり、本体部２１の他端側は、各電線６０の引出部分６２が位置する側である。
【００２１】
本体部２１は、外周面の一端寄りの位置に上下で対をなす突部２２を有している。突部２２は、突出寸法が比較的小さい扁平円柱状をなし、パイプ４０の貫通孔４１に挿入可能とされている。図１に示すように、本体部２１は、それぞれの突部２２の左右両側（周方向両側）において、軸方向に延びてパイプ４０の一端に開口する切り溝２３を有し、左右の切り溝２３間に片持ち梁状の弾性片２４を有している。突部２２は、弾性片２４の外周面に突設され、弾性片２４の撓み動作を伴ったあと貫通孔４１に内嵌される。
【００２２】
本体部２１の他端側には、鍔部２５が径方向外側に張り出して設けられている。図２に示すように、鍔部２５のうち、周方向において上下の突部２２と対応する部分には、切欠部２６が開口している。切欠部２６は、突部２２を成形するための金型が通過することに起因して形成される。
【００２３】
また、本体部２１は、上下の突部２２から等距離離れた一側部（上下中央部）に、鍔部２５を含む軸方向の全長にわたってスリット状に開口する割溝２７を有している。本体部２１は、割溝２７を介して弾性的に開放可能（拡開可能）となっている。割溝２７は、拡開前の状態で１本の電線６０の外径より小さい溝幅で構成される。なお、鍔部２５は、割溝２７と上下の切欠部２６とを除いて周方向に連続する形態になっている。
【００２４】
本体部２１は、内側に、各電線６０を個別に挿通可能な３つの配索空間２８と、各配索空間２８を仕切る仕切り壁２９とを有している。３つの配索空間２８のうちの１つは、割溝２７に連通している。
【００２５】
各仕切り壁２９は、本体部２１の内周面から径方向内側へ片持ち状に突出する板片状の形態とされている。本実施例１の場合、各仕切り壁２９は、本体部２１の内側中心部３０を中心として径方向に放射状の延出する線に沿うようにして、周方向に１２０度の等間隔をあけて配置される。図３に示すように、各仕切り壁２９は、本体部２１の内周面において、他端側の所定範囲（全長の半分に満たない範囲）に設けられ、一端側の領域には設けられていない。このため、各配索空間２８も、本体部２１の内側における他端側の所定範囲にのみ設けられることになる。
【００２６】
図２に示すように、各仕切り壁２９の内端は、本体部２１の内側中心部３０に臨み、互いに近接して配置される。各配索空間２８は、内側中心部３０を介して互いに連通している。そして、各仕切り壁２９は、本体部２１の内周面側の基端部位を支点として弾性変形可能とされている。
【００２７】
次に、電線配索構造１０の組み付け方法と作用について説明する。
組み付けに際し、編組部材５０及びシールド管に各電線６０を挿通させ、編組部材５０の端部から外側に各電線６０の引出部分６２を露出させる。続いて、各電線６０の引出部分６２に沿うように本体部２１の割溝２７を位置させ、その状態で、各電線６０を本体部２１へ向けて横移動させる。すると、割溝２７が各電線６０に押圧されて弾性的に拡開し、各電線６０が割溝２７を通過して１つの配索空間２８に進入する。さらに、各電線６０は内側中心部３０を通して対応する配索空間２８に進入する。このとき、仕切り壁２９が弾性的に撓み変形することで、各電線６０の配索空間２８への移行が許容される。また、各電線６０の全体が本体部２１の内側に移行するのに伴い、割溝２７が元の溝幅に弾性的に復帰し、各電線６０が配索空間２８から抜け出るのが規制される。
【００２８】
続いて、パイプ４０の他端開口に本体部２１の一端部を差し込むようにして、パイプ４０の内側に本体部２１を挿入する（図４を参照）。本体部２１の挿入過程では、各突部２２がパイプ４０の内周面を摺動し、各弾性片２４が弾性的に撓み変形させられる。本体部２１が正規深さで挿入されると、各弾性片２４が弾性的に復帰し、各突部２２が対応する貫通孔４１に内側から嵌合状態で進入する。また、鍔部２５がパイプ４０の他端側のフランジ部４３に対向して当接可能に配置される。これにより、本体部２１がパイプ４０の内側に周方向及び軸方向に変位を規制された状態に保持される。その後、パイプ４０に編組部材５０が接続され、さらにパイプ４０が機器７０に固定される（図５及び図６を参照）。
【００２９】
本体部２１から延びる各電線６０の引出部分６２は、先端部に端子金具１００が接続され、端子金具１００を介して装置側の接続相手１１０に接続される。このとき、各電線６０は、パイプ４０内で対応する配索空間２８に配列され、且つ仕切り壁２９によって他の配索空間２８への移行が規制された状態になっている。したがって、端子金具１００は、対応する接続相手１１０に正しく臨むことができる（図７を参照）。また、各電線６０の引出部分６２が長く確保されているため、端子金具１００と接続相手１１０との接続作業を円滑に行うことができる。
【００３０】
以上説明したように、本実施例１によれば、複数本の電線６０が本体部２１の対応する配索空間２８に挿通されることにより、各電線６０の配列が規定されるため、各電線６０が所定の接続相手１１０に臨むことができ、接続作業を円滑に行うことができる。
【００３１】
また、本体部２１が各電線６０を一括して覆う編組部材５０（コルゲートチューブ８０を含む外装部材）の端部に設置されるため、各電線６０の引出部分６２の先方に本体部２１が設置される場合に比べ、各電線６０の引出部分６２の自由長を長く確保することができ、各電線６０の引き込み及び取り回しの自由度を向上させることができる。
【００３２】
また、本体部２１が割溝２７を備え、割溝２７を開いて各電線６０を対応する配索空間２８に挿入可能とされているため、本体部２１への各電線６０の配索を、シールド管及び編組部材５０への挿通後の最終段階で行うことができ、作業性を向上させることができる。
【００３３】
また、電線配索構造１０が、電線配索部材２０と、編組部材５０の端部に連結され、機器７０に保持されるパイプ４０とを備え、本体部２１がパイプ４０に内嵌され、外周にパイプ４０への固定部となる突部２２を有するため、本体部２１がパイプ４０と重ねて設けられることになる。したがって、本体部２１自体の設置スペースが必要とされず、スペース的に有利であるとともに、構成を簡単にすることができる。また、突部２２によって本体部２１がパイプ４０に対して位置ずれするのを防止することができる。
【００３４】
さらに、パイプ４０及び機器７０が導電性の材質からなり、パイプ４０が編組部材５０に接続されるアースパイプからなるため、パイプ４０が機器７０への取り付け機能とアースをとる機能とを兼備することができ、構成をより簡単にすることができる。
【００３５】
＜実施例２＞
図８〜図１０は、本発明の実施例２を示す。実施例２の電線配索部材２０Ａは、実施例１の電線配索部材２０に対して舌片３２を付加した形態になっている。その他は、実施例１と同様であり、実施例１と同一又は相当する構造には同一符号を付し、重複する説明を省略する。
【００３６】
舌片３２は、電線配索部材２０Ａの本体部２１Ａの他端から後方へ延出する板片状の形態とされている。具体的には、舌片３２は、本体部２１Ａの他端における鍔部２５の径方向内側寄りで、且つ割溝２７の径方向反対側の位置に配置されている。また、舌片３２は、本体部２１Ａの他端の周方向に沿うように弧状に湾曲しており、内側の湾曲面３３に各電線６０の一部が押し当てられるようにして固定される。
【００３７】
ここで、各電線６０が本体部２１Ａの内側に割溝２７を通して挿入され、対応する配索空間２８に挿入された状態で、図１０に示すように、各電線６０及び舌片３２の外周にテープ９０が巻き付けられる。これにより、各電線６０が互いにばらけることなく舌片３２に遊動規制された状態に固定される。
【００３８】
実施例２によれば、各電線６０が舌片３２に固定されることにより、各電線６０が軸方向に変位するのが規制されるため、各電線６０の引出部分６２の長さを所定値に維持することができる。その結果、引出部分６２の先端部に設けられた端子金具１００が接続相手１１０との接続位置により正確に臨むことができ（実施例１の図７を参照）、誤接続などが生じる事態をより確実に回避することができる。
【００３９】
＜他の実施例＞
以下、他の実施例を簡単に説明する。
（１）各電線は、本体部の配索空間に横並び又は縦並びで配列されるものであってもよい。この場合に、仕切り壁は、配索空間を挟んで横並び又は縦並びで設けられていればよい。
（２）本体部の１つの配索空間に、２本以上の電線が挿通されるものであってもよい。
（３）外装部材は、各電線を一括して覆うものであればよく、例えば、シールド部材を兼用する金属箔、金属管、複合管（金属と樹脂との積層管材）、樹脂管、ゴムチューブ、グロメットであってもよい。
（４）本体部は、パイプに周方向及び軸方向に遊びをもって固定されるものであってもよい。これによれば、本体部とパイプとの間の組み付け誤差を吸収することができる。
（５）電線配索部材は、金属製又はゴム製であってもよい。
（６）本体部は、互いに分離可能な一対の半割体で構成されるものであってもよい。また、両半割体がヒンジを介して一体に連結されていてもよい。
（７）実施例２では、各電線を舌片に固定する固定部材として、テープに代え、タイバンドなどのバンドを用いることができる。
（８）上記実施例１、２は、ハイブリッド車などの高圧電線に適用した場合を例示したが、本発明は、それに限らず、他のワイヤハーネスにも広く適用可能である。
（９）電線配索部材の本体部がパイプに一体化した構造であってもよい。
【符号の説明】
【００４０】
１０…電線配索構造
２０、２０Ａ…電線配索部材
２１、２１Ａ…本体部
２２…突部
２７…割溝
２８…配索空間
２９…仕切り壁
３２…舌片
４０…パイプ
５０…編組部材（シールド部材、外装部材）
６０…電線
７０…機器
８０…コルゲートチューブ（外装部材）
【図１】
2018157653.tif 000003
【図２】
2018157653.tif 000004
【図３】
2018157653.tif 000005
【図４】
2018157653.tif 000006
【図５】
2018157653.tif 000007
【図６】
2018157653.tif 000008
【図７】
2018157653.tif 000009
【図８】
2018157653.tif 000010
【図９】
2018157653.tif 000011
【図１０】
2018157653.tif 000012